(57)【要約】  携帯端末と共に使用されるに適した外形寸法や重量を考慮した構成の投写型映像表示装置を提供する。  一側面を底面として直立配置が可能な形状の筺体とする投写型映像表示装置で、当該筺体を下側ケースと上側ケースにより構成し、かつ、上側ケースに反射ミラーが取り付けられ、開放可能なミラーカバーが形成され、下側ケースには、その側壁面に複数の空気の排気口が設けられ、かつ、反射ミラーに対し、拡大投写される映像光を照射するための光源と、光源からの光と外部からの電気信号に基づいて拡大投写される映像を処理する映像処理部と、光源及び前記制御部に電力を供給するための電源部とを備えた投写型映像表示装置を備え、光学系を、下側ケース内において、当該装置の中心軸に沿って、当該ケースの底面に平行に配置すると共に、光源を含む映像処理部と、電源部とを、下側ケース内において、光学系を中心として対称な位置に配置した。
2014207935.tif 000002
【特許請求の範囲】
【請求項１】
一側面を底面として直立配置が可能な形状の筺体とする投写型映像表示装置であって、当該筺体を下側ケースと上側ケースにより構成し、かつ、前記上側ケースに反射ミラーが取り付けられ、開放可能なミラーカバーが形成され、前記下側ケースには、その側壁面に複数の空気の排気口が設けられ、かつ、前記反射ミラーに対し、拡大投写される映像光を照射するための光源と、前記光源からの光と外部からの電気信号に基づいて前記拡大投写される映像を処理する映像処理部と、前記光源及び前記制御部に電力を供給するための電源部とを備えた投写型映像表示装置において、
前記光学系を、前記下側ケース内において、当該装置の中心軸に沿って、当該ケースの底面に平行に配置すると共に、
前記光源を含む前記映像処理部と、前記電源部とを、前記下側ケース内において、前記光学系を中心として対称な位置に配置したことを特徴とする投写型映像表示装置。
【請求項２】
請求項１に記載した投写型映像表示装置において、前記光源を含む前記映像処理部と、前記電源部は、それぞれ、独立の冷却手段を備えていることを特徴とする投写型映像表示装置。
【請求項３】
請求項２に記載した投写型映像表示装置において、前記光源を含む前記映像処理部が備える冷却手段は、前記光源を含む前記映像処理部の厚さよりも薄いシロッコファンと、ヒートパイプを含んでいることを特徴とする投写型映像表示装置。
【請求項４】
請求項３に記載した投写型映像表示装置において、前記シロッコファンは、その高さと径（直径）との比率が１０：１以上であることを特徴とする投写型映像表示装置。
【請求項５】
請求項３に記載した投写型映像表示装置において、前記映像処理部は発光色の異なる複数の光源を含み、かつ、前記ヒートパイプは、前記下側ケース内において、当該発光色の異なる複数の光源に対応して、前記排気口に対して異なる位置に、それぞれ、配置されていることを特徴とする投写型映像表示装置。
【請求項６】
請求項５に記載した投写型映像表示装置において、前記異なる複数の光源を、それぞれ、ＬＥＤで構成したことを特徴とする投写型映像表示装置。
【請求項７】
請求項５に記載した投写型映像表示装置において、前記異なる複数の光源であるＬＥＤのヒートパイプは、発熱量が大きい程、前記シロッコファンにより形成される空気流の上流側に配置されるように構成されたことを特徴とする投写型映像表示装置。
【請求項８】
請求項６に記載した投写型映像表示装置において、前記ヒートパイプは、当該発光色の異なる複数の光源に対応して、異なる本数が配置されていることを特徴とする投写型映像表示装置。
【請求項９】
請求項２に記載した投写型映像表示装置において、前記電源部が備える冷却手段は、軸流ファンを備えていることを特徴とする投写型映像表示装置。
【請求項１０】
請求項１に記載した投写型映像表示装置において、前記反射ミラーは自由曲面ミラーであり、かつ、前記光学系を構成するレンズ群は、自由曲面レンズを含んでいることを特徴とする投写型映像表示装置。
【請求項１１】
請求項１に記載した投写型映像表示装置において、前記上側ケースの一部には、前記反射ミラーにより反射されて拡大投写される映像光の下限光が通過する、前記光学系を中心として対称な位置に、それぞれ、切り欠き部を形成したことを特徴とする投写型映像表示装置。
【発明の詳細な説明】
【技術分野】
【０００１】
本発明は、投写型映像表示装置に関する。
【背景技術】
【０００２】
投写型映像表示装置は、大型のプロジェクションテレビに適用されると共に、例えば、以下の特許文献１にも既に知られるように、外部からの映像信号を入力してその映像を拡大してパネルや壁面等に投写するための手段としても広く利用されている。更に、近年においては、ＰＣ（パーソナルコンピュータ）からの映像信号の表示に留まらず、ｉＰｈｏｎｅやｉＰａｄ ｍｉｎｉ等の携帯端末により得られた映像などを、壁面や机の表面などに簡易に投写することを可能にするための手段としても期待されている。なお、そのための反射ミラー（自由曲面ミラー）や自由曲面レンズを含む投写レンズ系の詳細は、以下の特許文献２により既に知られている。
【先行技術文献】
【特許文献】
【０００３】
【特許文献１】特開２０１３−８０４４号公報
【特許文献２】特開２０１２−２１５９０９号公報
【発明の概要】
【発明が解決しようとする課題】
【０００４】
しかしながら、上述した投写型映像表示装置では、特に、大型のプロジェクションテレビでは、当該投写装置から映像が投写される投写面までの距離を比較的大きく設定しなければならず、外形寸法も大きく、重量も重く、また、ＰＣに接続して映像を投写するプロジェクタも、当該ＰＣの外形寸法や重量を考慮して設計されていた。そのため、特に、携帯端末と共に使用される外形寸法や重量を考慮した実用的な投写型映像表示装置は、未だ、提案されていない。【０００５】
そこで、本発明は、上述した従来技術における問題点に鑑みて達成されたものであり、特に、携帯端末と共に使用されるに適した外形寸法や重量を考慮した構成になる投写型映像表示装置を提供することをその目的とする。
【課題を解決するための手段】
【０００６】
上記の目的を達成するために、本発明によれば、まず、一側面を底面として直立配置が可能な形状の筺体とする投写型映像表示装置であって、当該筺体を下側ケースと上側ケースにより構成し、かつ、前記上側ケースに反射ミラーが取り付けられ、開放可能なミラーカバーが形成され、前記下側ケースには、その側壁面に複数の空気の排気口が設けられ、かつ、前記反射ミラーに対し、拡大投写される映像光を照射するための光源と、前記光源からの光と外部からの電気信号に基づいて前記拡大投写される映像を処理する映像処理部と、前記光源及び前記制御部に電力を供給するための電源部とを備えた投写型映像表示装置において、前記光学系を、前記下側ケース内において、当該装置の中心軸に沿って、当該ケースの底面に平行に配置すると共に、前記光源を含む前記映像処理部と、前記電源部とを、前記下側ケース内において、前記光学系を中心として対称な位置に配置した投写型映像表示装置が提供される。
【発明の効果】
【０００７】
本発明によれば、携帯端末と共に使用されるに適した外形寸法や重量を考慮した構成になる実用的にも優れた投写型映像表示装置を提供することが可能となる。
【図面の簡単な説明】
【０００８】
【図１】投写型映像表示装置の外観正面を示す図。
【図２】投写型映像表示装置の外観右側面を示す図。
【図３】投写型映像表示装置の外観左側面を示す図。
【図４】投写型映像表示装置を、その内部構成をも含めて示す透視図。
【図５】投写型映像表示装置とそれによる映像光の広がりを示す外観図。
【図６】投写型映像表示装置とそれによる映像光の広がりを示す外観図。
【図７】投写型映像表示装置の筺体内部の詳細構造を示すための、上側ケースを外した状態の上面図。
【図８】投写型映像表示装置の筺体内部の詳細構造を示すための、上側ケースを外した状態の上面図。
【図９】投写型映像表示装置の筺体内部の冷却構造を示すための図８のＡ−Ａ’断面図。
【図１０】投写型映像表示装置の筺体内部の冷却構造を示すための図８のＢ−Ｂ’断面図。
【図１１】投写型映像表示装置の外観を示す上面図。
【図１２】投写型映像表示装置の外観を示す斜視図。
【図１３】投写型映像表示装置におけるＬＥＤ照明ユニットの冷却構造を説明するための一部拡大図。
【図１４】投写型映像表示装置における光学系の一例を示す一部拡大断面図。
【発明を実施するための形態】
【０００９】
以下、本発明の実施の形態になる投写型映像表示装置について、図面を参照しながら、詳細に説明する。
【００１０】
まず、図１には、投写型映像表示装置の外観を示す正面図であり、図の符号１は、当該装置の下側ケースを、２は、その上側ケースを、３は、上側ケースの上面に形成された開閉可能なミラーカバーを、４は、下側ケースの側面に形成された、当該装置の内部で発生する熱を外部に排出するための排気口を示している（厳密には、装置内には、シロッコファンと軸流ファンとが設けられており、シロッコファンからの空気の排気口には、符号の後に「Ｃ」を、軸流ファンからの空気の排気口には、符号の後に「Ａ」を付加して表示している）。また、下側ケース１と上側ケース２により装置の略平箱状の外形形状を有する筺体を形成している。これは、当該装置の使用状態として、机やテーブルの表面に立てた状態で使用する場合（机やテーブルの表面に映像が投写される場合）をも考慮して、その背面側を底面として直立することが可能となっている。なお、筺体に着脱が可能、又は、筺体に内蔵されて取出しが可能なスタンド等の手段を設けてもよい。
【００１１】
本発明者等は、投写型映像表示装置の小型化を実現するために種々の検討を行ったが、その結果、特に、発熱を伴う部品とその冷却構造の配置が重要であり、即ち、当該部品とその冷却構造が光学系に対して悪影響を及ぼさないような配置にすることが重要であるとの知見を得た。以下に、かかる知見に基づく投写型映像表示装置の詳細について説明する。
【００１２】
＜光学系＞
図２は、投写型映像表示装置の側面図であり、上側ケースの上面に開閉可能に取り付けられたミラーカバー３の内側には、凸形状で回転非対称に形成された反射ミラー（自由曲面ミラー）３１が取り付けられると共に、上側ケースの正面略中央部（図1を参照）に形成された凸状部の内部には、以下に述べるレンズ光学系１０２が配置され、投写光を外部に導くための開口部が形成されている（なお、図では、レンズ光学系１０２の一部だけが当該開口部を介して示されている）。また、図中の符号５は、レンズ調整機構によりレンズ位置を変えて投写映像のフォーカス状態を調整するための、所謂、フォーカス調整用リングの一部（上側ケースから外部に飛び出した上端部）を示している。更に、図の符号６は、光源や制御装置等に必要な電力（商用電力）を供給するための、所謂、電源インレットを示しており、下側ケース１の側面に設けられている（電源ユニットが設けられる側）。
【００１３】
図３は、投写型映像表示装置の図２とは反対側の側面図を示しており、下側ケース１の側面（ＬＥＤ照明ユニットが設けられる側）には、排気口４と共に、外部の装置（例えば、携帯端末やＰＣなど）からの映像信号を入力するための各種の端子を備えた端子板７を備えている。また、この図の略中央部に示される排気口４は、装置の内部に搭載される電気回路、特に、画像処理装置やＬＥＤの駆動基板、更には、これらを含めて装置全体の動作を制御するための制御部（例えば、ＣＰＵにより構成される）を冷却するためのシロッコファンからの空気を排出するための排気口である。
【００１４】
ここで、図１４は、上述した光学系の構成の一例を示した断面図である。例えば、半導体レーザからなる光源からの光を、外部からの映像信号（例えば、携帯端末からの映像信号）に応じて、例えば、ＤＬＰ（デジタルライトプロセッシング）（登録商標）装置１００など、マイクロミラーや反射型液晶パネル（ＬＣＯＳ（登録商標）：Liquid crystal on silicon）からなる反射式や、液晶パネル等からなる透過式の光変調装置１００により変調し、それによって得られた映像は、ＴＩＰプリズム１０１で合成され、複数のレンズからなる投写レンズ系１０２を介して反射ミラー３１に投写され、その表面で反射されて拡大投写される。なお、上述した複数のレンズからなる投写レンズ系１０２は、映像の拡大投写に伴う各種の歪、例えば、斜め入射による歪や台形歪などを補正するために必要な、回転対称でない自由曲面形状のレンズ等を含めて、各種のレンズを含んで構成されている。また、投写レンズ系１０２は、投写レンズベース１０３上に移動可能に搭載されており、図のレンズ調整機構１０４の働きにより、図の上下方向に投写レンズの一部のレンズ又はレンズ群を移動させることでフォーカス性能の調整が可能となる。
【００１５】
また、この図では、上述した光学系により拡大されて反射ミラー３１上に投写され（図中の破線を参照）、その後、その表面で反射されて、例えば、スクリーンや壁面や机やテーブルなどの表面に投写される映像光の、上限光ＬＵと下限光ＬＤが、矢印で示されている。
【００１６】
本発明では、携帯端末と共に使用されることを考慮して、その外形寸法や重量を、例えば、縦：１９２ｍｍ、横：２６５ｍｍ、最小高さ：２６ｍｍとし、その重量を１１００gに設定した。かかる外形寸法や重量によれば、その使用者は、当該投写型映像表示装置をポケットや鞄やバッグに中に投入して、携帯端末と共に移動することが可能となる。
【００１７】
そして、本発明では、反射ミラー３１と、自由曲面レンズを含む投写レンズ系１０２からなる光学系を採用することにより、かかる投写型映像表示装置に対する上述した要求や制限を満たし、特に、当該装置から映像投写面までの距離が小さくても十分な映像を表示可能な投写性能を確保している。例えば、当該投写型映像表示装置を、映像を投写する面にその先端部を当接した状態で配置他状態で映像の投写を行った場合、３０．５インチ×１７．２インチ（対角３５インチの画面サイズ１６：９）の画面を得ることが出来た。
【００１８】
また、本発明では、装置の高さを出来るだけ低くするため、反射ミラー３１と投写レンズ系１０２を含む光学系を、平面上に（具体的には、下側ケース１の底部に設けられた投写レンズベース１０３上に）、その表面と平行になるように配置されている（例えば１．５度以下）。即ち、所定の投写距離においてより大きな投写映像を得るためには、例えば、投写レンズ系１０２を底面に対して傾斜させた状態（スクリーンに対して垂直とせず傾けた状態）で配置し、他方、反射ミラー３１での映像光の拡散角度（例えば、図の上限光ＬＵと下限光ＬＤがなす角度）を大きくすることが考えられるが、その場合には、投写レンズ系１０２の傾斜配置が装置の高さを増大してしまい、本発明が関わる小型・軽量の投写型映像表示装置を得るためには、不利である。
【００１９】
また、本発明では、反射ミラー３１で反射して投写される映像光の水平方向の広がりを十分に確保するため、図４〜図８、更には、図１１及び図１２にも示すように、上側ケース２の凸状部の一部には、反射ミラー３１からの反射光を、特に、映像光が広がる両側の下限光ＬＤを遮断しないように、所謂、切り欠き部２１が上側ケース２の一部に設けた開口部の両側に形成されている。なお、この図において、上述した制御部を冷却するためのシロッコファンが、符号４１で示されている。また、図中の符号３２は、反射ミラー３１を所定の角度位置に固定するためのミラー固定用ヒンジを示しており、下側ケース１のシロッコファン４１の反対側には、当該投写型映像表示装置の動作に必要な電力を、電源インレット６を介して商用交流電源から入力し、必要な直流や交流の電力に変化して各部に供給するための電源ユニット６１が配置され、更に、その下部には、軸流ファン４２が配置されている。また、図１１及び図１２では、以下にも詳細に説明するが、装置内部の冷却を行うため外部から取り込み排出する空気の流れを示すため、その「吸気」及び「排気」が、破線の矢印で示されている。
【００２０】
＜内部構造＞
続いて、投写型映像表示装置の内部構造について、図７〜図１０を参照しながら、以下に詳細に説明する。
【００２１】
図７及び８は、共に、投写型映像表示装置の内部構造を示すため、上側ケース２を外した状態の上面図である。これらの図において、反射ミラー３１や投写レンズ系１０２を含む光学系は、下側ケース１、即ち、装置の外形の上面図の中央を通り、投写光の中心部が進行する中心軸（図の面に垂直な中心軸）に沿って、装置の中央部に配置されている。また、この投写レンズ系１０２を中心にして、その一方の側（図の左側）には、電源ユニット６１が配置されており、当該電源ユニット６１の一端側には、複数台（本例では２台）の軸流ファン４２が隣接して配置されている。そして、この投写レンズ系１０２を中心にして、その他方の側（図の右側）には、シロッコファン４１が配置されている。
【００２２】
シロッコファン４１の筺体部の一部は放熱用フィンと略一体化されており、ＬＥＤ照明ユニット７１の緑色（Ｇ）光発光用のＬＥＤ７５Ｇで発生した熱は、ヒートパイプ７３Ｇを介して、赤色（Ｒ）光発光用のＬＥＤ７５Ｒは、ヒートパイプ７３Ｒを介して、青色（Ｂ）光発光用のＬＥＤ７５Ｂは、ヒートパイプ７３Ｂを介して、上記放熱フィンまで熱を伝播し、シロッコファン４１により発生した冷却風により冷却され、それぞれの排気口４Ｃから放熱される。
【００２３】
上述した光源を構成するためのＬＥＤ照明ユニット７１などは、シロッコファン４１により発生される空気流に沿って、配置されている。換言すれば、これらの構成要素は、投写レンズ系１０２を中心にして、左右対称に配置されている。なお、図中の符号７２は、ＤＬＰ装置冷却用のヒートシンクを示し、符号４Ｓは、下側ケース１の底面及び側面に形成された吸気口を示している。
【００２４】
更に、これらの図には、３本のヒートパイプ７３が示されており、これらのヒートパイプ７３は、それぞれ、ＬＥＤ照明ユニット７１の熱を排気口の近傍まで伝達し、もって、効率的な放熱を可能としている。より具体的には、ＬＥＤ照明ユニット７１の緑色（Ｇ）光発光用のＬＥＤ７５Ｇは、ヒートパイプ７３Ｇを介して排気口４Ｃの近傍まで、赤色（Ｒ）光発光用のＬＥＤ７５Ｒは、ヒートパイプ７３Ｒを介して排気口４Ｃの近傍まで伝達され、そして、青色（Ｂ）光発光用のＬＥＤ７５Ｂは、ヒートパイプ７３Ｂを介して、それぞれ、排気口４Ｃの近傍まで伝達され、シロッコファン４１により発生した冷却風により放熱フィンを介して放熱され排気口４Cから筺体外に排出される。
【００２５】
なお、これらの冷却構造についての詳細を、図９〜図１３を参照しながら説明する。図９は、図８に示した投写型映像表示装置におけるミラーカバー３を閉じた状態のＡ−Ａ’線に沿った断面図であり、図１０は、図８に示した投写型映像表示装置におけるミラーカバー３を開いた状態のＢ−Ｂ’線に沿った断面図である。
【００２６】
まず、図９には、ＬＥＤ照明ユニット７１の冷却構造が示されており、その内部に取り付けられたシロッコファン４１は、下側ケース１の底面に形成された図示しない吸気口を介して、外部から空気を吸い込み、装置の正面（この図では、右側の側面）に形成されたシロッコファンからの空気の排気口４Ｃから排出する。
【００２７】
その際、図７及び８、更には、図１３にも示すように、ＬＥＤ照明ユニット７１における主な発熱源である３個のＬＥＤ（半導体レーザ）７５Ｒ、７５Ｇ、７５Ｂからの熱は、それぞれのヒートパイプ７３Ｒ、７３Ｇ、７３Ｂにより、下側ケース１の正面、及び、側面に形成された排気口４Ｃ（図７を参照）の近傍まで伝達される。具体的には、その一端が、ＬＥＤの表面に熱伝的に取り付けられ、その他端が、排気口の近傍に配置されている。そこで、外部から吸い込まれた空気に熱を伝達（熱交換）することにより、３個のＬＥＤ７５Ｒ、７５Ｇ、７５Ｂを効率的に冷却する。
【００２８】
即ち、上述した冷却構造は、特に、ＬＥＤ照明ユニット７１のように、発熱がその一部において（即ち、３個のＬＥＤ７５Ｒ、７５Ｇ、７５Ｂ）、局部的に発生する部品の冷却用に好適である。なお、より詳細には、３個のＬＥＤ７５Ｒ、７５Ｇ、７５Ｂから発熱量は、それぞれ、異なることから、そこに用いられるヒートパイプ７３Ｒ、７３Ｇ、７３Ｂは、排気口４Ｃに近接した配置される場所の数（熱交換量）において、それぞれ、異なるように配置されている。また、配置されるヒートパイプ７３の本数も、ＬＥＤの発熱量の大小に応じて、適宜、設定することにより、更に効率的な放熱効果を達成することが出来る。
【００２９】
例えば、Ｇ光発光用のＬＥＤ７５Ｇからの発熱量は最も大きいことから、そのヒートパイプ７３Ｇは、２か所において排気口４Ｃと近接するように配置されており、更には、空気の流れの上流側に位置している。次に発熱量の大きいＢ光発光用のＬＥＤ７５Ｂを冷却するためのヒートパイプ７３Ｂも、ヒートパイプ７３Ｇと同様、２か所において排気口４Ｃと近接するように配置されているが、しかしながら、空気の流れの下流側に位置している。そして、比較的に発熱量の小さいＲ光発光用のＬＥＤ７５Ｒを冷却するためのヒートパイプ７３Ｒは、下側ケース１の側面に形成された排気口４Ｃだけに近接するように配置されており、更に、空気流の最も下流側に位置している。加えて、Ｇ光発光用のＬＥＤ７５Ｇのヒートパイプ７３Ｇも、それからの発熱量がＲ光発光用のＬＥＤ７５Ｒからの発熱量よりも大きいため、より上流側（即ち、シロッコファンに近い側）に配置されている。
【００３０】
即ち、上述した冷却構造によれば、部品内の局部的な発熱を、装置の外部に、効率的に放熱することが可能となる。また、装置の高さを出来るだけ低くするためには、冷却対象であるＬＥＤ照明ユニット７１の厚さに比較して、よりその厚さが小さい、所謂、薄型のシロッコファンを用いることが好ましい。特に、シロッコファン４１は、その高さと径（直径）との比率が１０：１以上にすることにより、大きな風量を得ることができ、更に好ましくは、１５：１以上にすることによれば、更なる改善（風量の増大）が可能となった。
【００３１】
他方、図１０には、他の主な発熱源である電源ユニット６１のための冷却構造が示されている。即ち、下側ケース１の内部には、電源ユニット６１が配置され、当該ユニットに隣接して（本例では、装置の背面側である図の左側）、軸流ファン４２が配置されている。かかる冷却構造によれば、外部からの空気は、下側ケース１の背面（図の左側面）に形成された吸気口４Ｓ、及び、図示しないが、底面に形成された吸気口から吸入され、そして、電源ユニット６１の周囲を流れることにより電源ユニット６１からの熱を奪った後、排気口４Ｃから装置の外部に排出される。
【００３２】
なお、電源ユニット６１は、ＬＥＤ照明ユニット７１とは異なり、部品全体が発熱することから、上述した冷却構造が採用されている。また、上述した底面に形成された図示しない吸気口は、特に、投写型映像表示装置を、例えば、机やテーブルの表面に立てた状態で使用する場合（机やテーブルの表面に映像が投写される場合）下側ケース１の背面（図の左側面）に形成された吸気口４Ｓが閉止されてしまうことを考慮して、使用状態の変化にかかわらず、外部吸気の十分な吸入を確保するために形成されている。
【００３３】
本発明では、より小型で投写性能に優れた投写型映像表示装置を達成するため、反射ミラー（自由曲面ミラー）と投写レンズ系を備えた光学系を採用し、当該光学系を、下側ケース１と上側ケース２とからなる筺体の内部において、その中央を通る中心軸に沿って配置し、更に、ＬＥＤ照明ユニット７１と電源ユニット６１を、当該光学系を中心として、左右対称に配置されており、かつ、それぞれ、独立して必要な冷却が行われる構造となっている。
【００３４】
また、光源を含む映像処理部と電源部は、それぞれ、独立の冷却手段を備えており、当該映像処理部が備える冷却手段は、当該映像処理部の厚さよりも薄いシロッコファンと、ヒートパイプを含んでおり、当該映像処理部は発光色の異なる複数の光源を含み、ヒートパイプは、下側ケース内において、当該発光色の異なる複数の光源に対応して、排気口に対して異なる位置に、それぞれ、配置されていることが好ましい。また、異なる複数の光源を、それぞれ、ＬＥＤで構成することが好ましい。また、電源部が備える冷却手段は、軸流ファンであってもよい。反射ミラーは映像側に凸面のミラーで形状としては自由曲面を有するミラーであり、かつ、当該光学系を構成するレンズ群は、自由曲面レンズを含んでいることが好ましく、上側ケースの一部には、反射ミラーにより反射されて拡大投写される映像光の下限光が通過する、当該光学系を中心として対称な位置に、それぞれ、切り欠き部を形成することが好ましい。
【００３５】
かかる構成によれば、発熱を伴う部品やその冷却構造が、光学系に対して悪影響を及ぼすことはなく、装置の小型化に好適な構造とすることが可能になった。
【符号の説明】
【００３６】
１…下側ケース、２…上側ケース、ミラーカバー…３、４Ａ、４Ｃ、４Ｓ…排気口、２１…切り欠き部、３１…反射ミラー（自由曲面ミラー）、４１…シロッコファン、４２…軸流ファン、６１…電源ユニット、７１…ＬＥＤ照明ユニット、７３Ｒ、７３Ｇ、７３Ｂ…ヒートパイプ、７５Ｒ、７５Ｇ、７５Ｂ…ＬＥＤ、１００…ＤＬＰ（デジタルライトプロセッシング）装置、レンズ光学系…１０２、ＬＤ…下限光。
【図１】
2014207935.tif 000003
【図２】
2014207935.tif 000004
【図３】
2014207935.tif 000005
【図４】
2014207935.tif 000006
【図５】
2014207935.tif 000007
【図６】
2014207935.tif 000008
【図７】
2014207935.tif 000009
【図８】
2014207935.tif 000010
【図９】
2014207935.tif 000011
【図１０】
2014207935.tif 000012
【図１１】
2014207935.tif 000013
【図１２】
2014207935.tif 000014
【図１３】
2014207935.tif 000015
【図１４】
2014207935.tif 000016
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
一側面を底面として直立配置が可能な形状の筺体とする投写型映像表示装置であって、
前記筺体は下側ケースと上側ケースにより構成され、前記下側ケースの側壁面に複数の空気の排気口が設けられ、前記上側ケースには開放可能なミラーカバーが設けられ、前記ミラーカバーには、反射ミラーが取り付けられ、
前記反射ミラーと複数のレンズを含む投写光学系と、
前記反射ミラーに対し光を照射するための光源と、前記光源からの光を外部からの映像信号に応じて変調する光変調装置と、を含む映像処理部と、
前記光源と前記映像処理部に電力を供給するための電源部と、を備え、
前記投写光学系を、前記下側ケースの中心軸に沿って、前記筺体の底面に平行に配置すると共に、
前記映像処理部と、前記電源部とを、前記下側ケース内において、前記投写光学系を中心として対称な位置に配置したことを特徴とする投写型映像表示装置。
【請求項２】
請求項１に記載した投写型映像表示装置において、前記映像処理部と、前記電源部は、それぞれ、独立の冷却手段を備えていることを特徴とする投写型映像表示装置。
【請求項３】
請求項２に記載した投写型映像表示装置において、前記映像処理部が備える冷却手段は、前記映像処理部の厚さよりも薄いシロッコファンと、ヒートパイプを含んでいることを特徴とする投写型映像表示装置。
【請求項４】
請求項３に記載した投写型映像表示装置において、前記シロッコファンは、その高さと径（直径）との比率が１０：１以上であることを特徴とする投写型映像表示装置。
【請求項５】
請求項３に記載した投写型映像表示装置において、前記映像処理部は発光色の異なる複数の光源を含み、かつ、前記ヒートパイプは、前記下側ケース内において、当該発光色の異なる複数の光源に対応して、前記排気口に対して異なる位置に、それぞれ、配置されていることを特徴とする投写型映像表示装置。
【請求項６】
請求項５に記載した投写型映像表示装置において、前記異なる複数の光源を、それぞれ、ＬＥＤで構成したことを特徴とする投写型映像表示装置。
【請求項７】
請求項５に記載した投写型映像表示装置において、前記異なる複数の光源であるＬＥＤのヒートパイプは、発熱量が大きい程、前記シロッコファンにより形成される空気流の上流側に配置されるように構成されたことを特徴とする投写型映像表示装置。
【請求項８】
請求項６に記載した投写型映像表示装置において、前記ヒートパイプは、当該発光色の異なる複数の光源に対応して、異なる本数が配置されていることを特徴とする投写型映像表示装置。
【請求項９】
請求項２に記載した投写型映像表示装置において、前記電源部が備える冷却手段は、軸流ファンを備えていることを特徴とする投写型映像表示装置。
【請求項１０】
請求項１に記載した投写型映像表示装置において、前記反射ミラーは自由曲面ミラーであり、かつ、前記投写光学系を構成する前記複数のレンズは、自由曲面レンズを含んでいることを特徴とする投写型映像表示装置。
【請求項１１】
請求項１に記載した投写型映像表示装置において、前記上側ケースの一部には、前記反射ミラーにより反射されて拡大投写される映像光の下限光が通過する、前記投写光学系を中心として対称な位置に、それぞれ、切り欠き部を形成したことを特徴とする投写型映像表示装置。
【国際調査報告】
2014207935.tif 000017
2014207935.tif 000018
2014207935.tif 000019
2014207935.tif 000020